(57)【要約】【課題】  管を離脱する際に操作する部分を本体から突出させない管継手に接続された管を容易に離脱させることのできる管継手の管取外し冶具を提供すること。【解決手段】  管継手１２と管２４とを分離する場合、管取外し冶具１０を管２４に嵌め、管取外し冶具１０を軸方向に沿ってスライドし、リブ６８をスリーブ１６の内側へ押込む。これによって、リブ６８によって押圧された係合解除部材２０の押圧部５４がロックリング５２の爪部５２Ａを押圧して、爪部５２Ａの先端が管２４の外周面から離れる。爪部５２Ａの先端を管２４の外周面から離間させた状態（即ち、管取外し冶具１０を押圧した状態）で、管２４を引き抜くと、管２４と管継手１２とを容易に分離することができる。【選択図】        図６
2005188705.tif 000002
【特許請求の範囲】
【請求項１】
管を挿入する孔と、前記孔の内方に設けられ、一定径の管の挿入を可能とすると共に、挿入された前記管に抜き出し方向の力が作用したときに先端部が前記管の外周面に喰い込んで前記管の抜き出しを阻止する弾性変形可能な爪部と、前記孔の内方に配置され、軸方向にスライドして前記爪部に当接することで前記爪部の先端部を前記管の外周面から離れさせる係合解除部材と、を備えた管継手に用いられる管継手の管取外し冶具であって、
前記管の外径よりも大径に形成された本体と、
前記本体に形成され、前記管を挿入可能とする溝部と、
前記本体の側面に設けられ、前記溝部に前記管を挿入して前記溝部の底部に前記管が当接した際に前記係合解除部材と対向し、かつ前記孔に挿入可能とされる係合解除部材押圧凸部と、
を有することを特徴とする管継手の管取外し冶具。
【請求項２】
前記係合解除部材押圧凸部は円弧状のリブであり、一定の高さを有し、かつ前記管の外周長さの１／８以上の長さを有する、ことを特徴とする請求項１に記載の管継手の管取外し冶具。
【請求項３】
前記係合解除部材押圧凸部は間隔をあけて２個以上設けられており、それぞれの高さが同一に設定されている、ことを特徴とする請求項１に記載の管継手の管取外し冶具。
【請求項４】
管を挿入する孔と、前記孔の内方に設けられ、一定径の管の挿入を可能とすると共に、挿入された前記管に抜き出し方向の力が作用したときに先端部が前記管の外周面に喰い込んで前記管の抜き出しを阻止する弾性変形可能な爪部と、前記孔の内方に配置され、軸方向にスライドして前記爪部に当接することで前記爪部の先端部を前記管の外周面から離れさせる係合解除部材と、を備えた管継手に用いられる管継手の管取外し冶具であって、
前記管の外径よりも大径に形成された本体と、
前記本体に形成され、前記管を挿入可能とする開口と、
前記本体の側面に設けられ、前記開口に前記管を挿入した際に前記係合解除部材と対向し、かつ前記孔に挿入可能とされる係合解除部材押圧凸部と、
を有することを特徴とする管継手の管取外し冶具。
【請求項５】
前記係合解除部材押圧凸部は、一定の高さとされた円状のリブである、ことを特徴とする請求項４に記載の管継手の管取外し冶具。
【請求項６】
前記係合解除部材押圧凸部は間隔をあけて２個以上設けられており、それぞれの高さが同一に設定されている、ことを特徴とする請求項４に記載の管継手の管取外し冶具。
【発明の詳細な説明】
【技術分野】
【０００１】
本発明は管継手の管取外し冶具に係り、特に、管を孔に押込むのみで管の接続を完了することのできる管継手に用いられ、接続された管を管継手から取り外す際に用いる管継手の管取外し冶具に関する。
【背景技術】
【０００２】
管と管を接続する場合には一般的に管継手が用いられている。
【０００３】
管継手には種々の構造のものが提案されているが、近年では、管を孔に押込むのみで、管の接続を完了する、所謂ワンタッチコネクターと称するタイプの管継手、例えば、特許文献１に記載の管継手が作業性の簡易さから好まれている。
【特許文献１】実開昭５９―４７１９０号公報
【発明の開示】
【発明が解決しようとする課題】
【０００４】
特許文献１に記載の管継手では、接続後の管を取り外す場合、管継手本体から突出したコレットのフランジを押込むことで、管の離脱を行なうことができるため、本体から突出しているフランジを誤って押圧することで、管が離脱してしまう場合がある。
【０００５】
そこで、管を離脱する際に操作する部分を本体から突出させない管継手が考えられる。
【０００６】
しかしながら、管を離脱する際に操作する部分を本体から突出させない場合、手等では操作することが出来なくなる。
【０００７】
また、マイナスドライバー等の先端を押込むことで操作部分を押圧することが考えられるが、管継手を損傷する虞がある。
【０００８】
本発明は、上記問題を解決すべく成されたもので、管を離脱する際に操作する部分を本体から突出させない管継手に接続された管を容易に離脱させることのできる管継手の管取外し冶具を提供することが目的である。
【課題を解決するための手段】
【０００９】
請求項１に記載の発明は、管を挿入する孔と、前記孔の内方に設けられ、一定径の管の挿入を可能とすると共に、挿入された前記管に抜き出し方向の力が作用したときに先端部が前記管の外周面に喰い込んで前記管の抜き出しを阻止する弾性変形可能な爪部と、前記孔の内方に配置され、軸方向にスライドして前記爪部に当接することで前記爪部の先端部を前記管の外周面から離れさせる係合解除部材と、を備えた管継手に用いられる管継手の管取外し冶具であって、前記管の外径よりも大径に形成された本体と、前記本体に形成され、前記管を挿入可能とする溝部と、前記本体の側面に設けられ、前記溝部に前記管を挿入して前記溝部の底部に前記管が当接した際に前記係合解除部材と対向し、かつ前記孔に挿入可能とされる係合解除部材押圧凸部と、を有することを特徴としている。
【００１０】
次に、請求項１に記載の管継手の管取外し冶具の作用を説明する。
【００１１】
先ず、管継手に接続された管が溝部に底部に当接するように、溝部に管を進入させる。このとき、係合解除部材押圧凸部は予め管継手側に向けておく。
【００１２】
次に、管を底部に接触させた状態で冶具を管継手側にスライドさせ、係合解除部材押圧凸部を管継手の孔に挿入する。
【００１３】
さらに、係合解除部材押圧凸部を孔内に押込むことで、係合解除部材押圧凸部が管継手の係合解除部材を押圧し、係合解除部材が管から離間し、管の離脱を行なうことができる。
【００１４】
請求項２に記載の発明は、請求項１に記載の管継手の管取外し冶具において、前記係合解除部材押圧凸部は円弧状のリブであり、一定の高さを有し、かつ前記管の外周長さの１／８以上の長さを有する、ことを特徴としている。
【００１５】
次に、請求項２に記載の管継手の管取外し冶具の作用を説明する。
【００１６】
係合解除部材がリング形状の場合、一点を押圧しても、リング形状は管継手内で傾いてしまい、管を離脱できなくなる場合がある。
【００１７】
したがって、ある程度の長さのものを係合解除部材に接触させ、押圧した際に係合解除部材が傾かないようにする必要がある。
【００１８】
したがって、係合解除部材押圧凸部は、円弧状のリブであり、一定の高さを有し、かつ管の外周長さの１／８以上の長さを有している。
【００１９】
なお、係合解除部材押圧凸部の長さが管の外周長さの１／８未満では、１点当たりに近くなり、管継手から管を離脱できなくなる場合がある。
【００２０】
また、冶具には管を挿入可能とする溝の幅があるので、係合解除部材押圧凸部の長さは管の外周長さの約１／２を越えられない。
【００２１】
請求項３に記載の発明は、請求項１に記載の管継手の管取外し冶具において、前記係合解除部材押圧凸部は間隔をあけて２個以上設けられており、それぞれの高さが同一に設定されている、ことを特徴としている。
【００２２】
次に、請求項３に記載の管継手の管取外し冶具の作用を説明する。
【００２３】
係合解除部材押圧凸部は間隔をあけて２個以上設けられており、それぞれの高さが同一に設定されているので、係合解除部材を押圧した際に、係合解除部材が傾かないようにすることができる。なお、係合解除部材押圧凸部は、３点以上が更に好ましい。
【００２４】
請求項４に記載の発明は、管を挿入する孔と、前記孔の内方に設けられ、一定径の管の挿入を可能とすると共に、挿入された前記管に抜き出し方向の力が作用したときに先端部が前記管の外周面に喰い込んで前記管の抜き出しを阻止する弾性変形可能な爪部と、前記孔の内方に配置され、軸方向にスライドして前記爪部に当接することで前記爪部の先端部を前記管の外周面から離れさせる係合解除部材と、を備えた管継手に用いられる管継手の管取外し冶具であって、前記管の外径よりも大径に形成された本体と、前記本体に形成され、前記管を挿入可能とする開口と、前記本体の側面に設けられ、前記開口に前記管を挿入した際に前記係合解除部材と対向し、かつ前記孔に挿入可能とされる係合解除部材押圧凸部と、を有することを特徴としている。
【００２５】
次に、請求項４に記載の管継手の管取外し冶具の作用を説明する。
【００２６】
先ず、管継手に接続された管を本体の開口に進入させる。このとき、係合解除部材押圧凸部は予め管継手側に向けておく。
【００２７】
次に、冶具を管継手側にスライドさせ、係合解除部材押圧凸部を管継手の孔に挿入する。
【００２８】
さらに、係合解除部材押圧凸部を孔内に押込むことで、係合解除部材押圧凸部が管継手の係合解除部材を押圧し、係合解除部材が管から離間し、管の離脱を行なうことができる。
【００２９】
請求項５に記載の発明は、請求項４に記載の管継手の管取外し冶具において、前記係合解除部材押圧凸部は、一定の高さとされた円状のリブである、ことを特徴としている。
【００３０】
次に、請求項５に記載の管継手の管取外し冶具の作用を説明する。
【００３１】
係合解除部材押圧凸部が、一定の高さとされた円状のリブであるため、係合解除部材を傾けずに押圧することができる。
【００３２】
請求項６に記載の発明は、請求項４に記載の管継手の管取外し冶具において、前記係合解除部材押圧凸部は間隔をあけて２個以上設けられており、それぞれの高さが同一に設定されている、ことを特徴としている。
【００３３】
次に、請求項６に記載の管継手の管取外し冶具の作用を説明する。
【００３４】
係合解除部材押圧凸部は間隔をあけて２個以上設けられており、それぞれの高さが同一に設定されているので、係合解除部材を押圧した際に、係合解除部材が傾かないようにすることができる。なお、係合解除部材押圧凸部は、３点以上が更に好ましい。
【発明の効果】
【００３５】
以上説明したように本発明によれば、管を離脱する際に操作する部分を本体から突出させない管継手に接続された管を容易に離脱させることができる、という優れた効果を有する。
【発明を実施するための最良の形態】
【００３６】
以下、図面を参照して本発明に係る一実施形態に係る管取外し冶具１０を詳細に説明する。
【００３７】
図２には、本実施形態の管取外し冶具１０を用いる管継手１２が断面図にて示されている。
【００３８】
管継手１２は、本体１４、スリーブ１６、中間リング１８、係合解除部材２０、ロックリング５２、及びオーリング２２から構成されている。
【００３９】
なお、本体１４、スリーブ１６、中間リング１８、及び係合解除部材２０は、例えば、合成樹脂で形成することができる。
【００４０】
本体１４は筒状に形成され、矢印Ｒ方向側は、管２４に挿入される外周の径が一定とされたコア部２６とされている。
【００４１】
コア部２６の矢印Ｌ方向側には、コア部２６よりも径が大とされた突起部２８が形成されれており、突起部２８の矢印Ｌ方向側には、突起部２８よりも若干径の小さな中間リング保持部３０が形成されている。
【００４２】
さらに、本体１４には、中間リング保持部３０の矢印Ｌ方向側に、スパナを引っ掛ける六角部３２が形成されており、六角部３２の矢印Ｌ方向側には雄ねじ３４が形成されている。
【００４３】
コア部２６の外周には一対の溝３６が形成されており、各溝３６にオーリング２２が嵌め込まれている。
【００４４】
コア部２６が後述する管２４に挿入されると、オーリング２２が管２４の内壁面に密着し、管２４と本体１４との間をシールする（図５参照。）。
【００４５】
中間リング１８は、六角部３２の矢印Ｒ方向側に配置されている。
【００４６】
中間リング１８には、コア部２６と対向する部分に、管２４が挿入可能な一定径の管挿入部３８が形成されている。
【００４７】
中間リング１８には、管挿入部３８の矢印Ｌ方向側に、突起部２８よりも若干小径で、かつ前述した本体１４の中間リング保持部３０よりも若干大径に形成された係合部４０が形成されている。
【００４８】
中間リング１８は、係合部４０が本体１４の中間リング保持部３０に係合することで、中間リング１８に保持されている。
【００４９】
また、スリーブ１６は、コア部２６の外周側で、かつ中間リング１８の矢印Ｒ方向側に配置されている。
【００５０】
中間リング１８には、矢印Ｒ方向側の外周面に凹凸状とされたスリーブ係合部４２が形成されており、このスリーブ係合部４２がスリーブ１６の矢印Ｌ方向側の内周面に形成された凹凸状の被係合部４４に挿入され嵌合している。
【００５１】
中間リング１８は、矢印Ｒ方向側の端部付近の外周面、及び内周面がそれぞれテーパー状に形成されている。
【００５２】
スリーブ１６は、被係合部４４の矢印Ｒ方向に矢印Ｒ方向へ向かうに従って内径が縮小する傾斜部４６を有し、傾斜部４６の矢印Ｒ方向側には、一定内径の第１の一定径部４８が形成され、第１の一定径部４８の矢印Ｒ方向側には、第１の一定径部４８よりも内径が小径とされた第２の一定径部５０が形成されている。
【００５３】
係合解除部材２０は、中間リング１８の矢印Ｒ方向で、かつスリーブ１６の内周側に配置されており、ロックリング５２は、スリーブ１６の傾斜部４６の内周側で、かつ中間リング１８と係合解除部材２０との間に配置されている。
【００５４】
図３に示すように、ロックリング５２は、全体的にはリング状を呈しており、内側へ突出する複数の爪部５２Ａが周方向に間隔をあけて複数形成されている。
【００５５】
このロックリング５２、例えば、金属板（鋼板等）を打ち抜いた後、プレス成形することで得ることができる。
【００５６】
図２に示すように、ロックリング５２は、爪部５２Ａでの断面形状が略Ｖ字形状を呈している。
【００５７】
また、図３に示すように、爪部５２Ａの先端部分を通る仮想円ＦＣの径は、管２４の外径よりも若干小径に設定されている。
【００５８】
図２に示すように、ロックリング５２は、爪部５２Ａの先端が矢印Ｌ方向側を向く向きに配置されている。
【００５９】
係合解除部材２０は、内径が一定で、かつ内径寸法は管２４の外径よりも若干大径に形成されている。
【００６０】
係合解除部材２０は、矢印Ｌ方向側の外周面がテーパー状に形成された押圧部５４とされ、押圧部５４の矢印Ｒ方向側に一定の外径とされた一定外径部分５６が形成されている。
【００６１】
係合解除部材２０は、押圧部５４を中間リング１８側に向けられ、一定外径部分５６がスリーブ１６の第２の一定径部５０に挿入されている。
【００６２】
係合解除部材２０は、押圧部５４の外径が第１の一定径部４８の内径よりも若干小径に形成され、一定外径部分５６の外径がスリーブ１６の第２の一定径部５０の内径よりも若干小径に形成されている。
【００６３】
これにより、係合解除部材２０は、スリーブ１６の内側にて軸方向に移動可能とされている。
（冶具）
管取外し冶具１０は、例えば、金属の丸棒を旋盤加工、及びフライス加工（又はエンドミル加工）することにより形成することができる。
【００６４】
例えば、丸棒を旋盤加工して、図４（Ａ），（Ｂ）に示すような円管部６０とフランジ部６２とを一体的に設けた開口６３を有する中間加工品６４を作製する。
【００６５】
円管部６０の内径は管２４の外径よりも若干大径であり、円管部６０の外径はスリーブ１６の第２の一定径部５０の内径よりも若干小径である。
【００６６】
次に、中間加工品６４の図４（Ａ）で示す斜線部分をフライス（又はエンドミル）によって切削除去して溝６６形成し、平面視形状を略Ｃ字形状とする。
【００６７】
その後、角部分を面取り加工することで、図１に示すような冶具１０が得られる。
【００６８】
なお、中間加工品６４の円管部６０は溝６６の形成後は一部分が除去され、完成した管取外し冶具１０においては、円弧状のリブ６８（以後、管取外し冶具１０においてはリブ６８と呼ぶ。）となる。
【００６９】
また、フランジ部６２には、キーホルダー等に取り付けるための孔７０が加工されている。
（作用）
先ず最初に、管２４を管継手１２に接続する手順を説明する。
【００７０】
先ず第１に、管２４を、係合解除部材２０の内側へ挿入し、挿入した管２４を突起部２８に突き当たるまで押込む（図５参照）。
【００７１】
なお、管継手１２に管２４が押込むと、管２４の先端がロックリング５２の爪部５２Ａを押し広げ、爪部５２Ａの先端は管２４の外周を摺動する。
【００７２】
ここで、管２４が矢印Ｒ方向に抜けようとする力（例えば、管２４の内の流体の圧力、人為的による引き抜こうとする力）が作用すると、爪部５２Ａの先端が管２４の外周面に若干食い込み、管２４の移動を阻止するので、管２４が管継手１２から外れることが無い。
【００７３】
次に、管継手１２から管２４を取り外す手順を説明する。
【００７４】
管継手１２や管２４の交換等により、管継手１２と管２４とを分離したい場合には、図５に示すように、管取外し冶具１０を管２４に嵌め、管取外し冶具１０を軸方向に沿ってスライドし、図６に示すようにリブ６８をスリーブ１６の内側へ押込む。
【００７５】
これによって、リブ６８によって押圧された係合解除部材２０の押圧部５４がロックリング５２の爪部５２Ａを押圧して、爪部５２Ａの先端が管２４の外周面から離れる。
【００７６】
このようにして爪部５２Ａの先端を管２４の外周面から離間させた状態（即ち、管取外し冶具１０を押圧した状態）で、管２４を引き抜くと、管２４と管継手１２とを容易に分離することができる。
【００７７】
なお、管取外し冶具１０は図１に示す形状に限らず、図７に示すように半円形状であっても良く、及び図８に示すように角部を面取りしない形状であっても良い。
【００７８】
また、管取外し冶具１０は、図９に示すように、フランジ部６２、及びリブ６８がドーナツ形状であっても良い。
【００７９】
また、管取外し冶具１０は、図１０に示すように、フランジ部６２をドーナツ形状とし、その片面に、リブ６８の代わりとなる２つの突起７２を設けたものであっても良い。
【００８０】
また、管取外し冶具１０は、図１１に示すようにフランジ部６２をＣ字形状とし、その片面に、リブ６８の代わりとなる３つの突起７２を設けたものであっても良く、図１２に示すように、リブ６８の代わりとなる２つの突起７２を設けたものであっても良い。
【図面の簡単な説明】
【００８１】
【図１】管取外し冶具の正面図である。
【図２】管継手を側面から見た一部断面図である。
【図３】ロックリングの正面図である。
【図４】（Ａ）は中間加工品の正面図であり、（Ｂ）は中間加工品の断面図である。
【図５】管を接続した管継手を側面から見た一部断面図である。
【図６】管取外し冶具を管継手に挿入した状態を示すを管継手側面から見た一部断面図である。
【図７】（Ａ）は他の実施形態に係る管取外し冶具の側面図であり、（Ｂ）は（Ａ）に示す管取外し冶具の正面図である。
【図８】（Ａ）は更に他の実施形態に係る管取外し冶具の側面図であり、（Ｂ）は（Ａ）に示す管取外し冶具の正面図である。
【図９】（Ａ）は更に他の実施形態に係る管取外し冶具の側面図であり、（Ｂ）は（Ａ）に示す管取外し冶具の正面図である。
【図１０】（Ａ）は更に他の実施形態に係る管取外し冶具の側面図であり、（Ｂ）は（Ａ）に示す管取外し冶具の正面図である。
【図１１】（Ａ）は更に他の実施形態に係る管取外し冶具の側面図であり、（Ｂ）は（Ａ）に示す管取外し冶具の正面図である。
【図１２】（Ａ）は更に他の実施形態に係る管取外し冶具の側面図であり、（Ｂ）は（Ａ）に示す管取外し冶具の正面図である。
【符号の説明】
【００８２】
１０    管取外し冶具
１２    管継手
６６    溝
６８    リブ（係合解除部材押圧凸部）
７２    突起（係合解除部材押圧凸部）
【図１】
2005188705.tif 000003
【図２】
2005188705.tif 000004
【図３】
2005188705.tif 000005
【図４】
2005188705.tif 000006
【図５】
2005188705.tif 000007
【図６】
2005188705.tif 000008
【図７】
2005188705.tif 000009
【図８】
2005188705.tif 000010
【図９】
2005188705.tif 000011
【図１０】
2005188705.tif 000012
【図１１】
2005188705.tif 000013
【図１２】
2005188705.tif 000014